(57)【要約】【課題】シートを交換することによって様々な曲を演奏可能であって、且つスターホイールとシートとの干渉に伴う不具合を有効に防止することができる、新規のオルゴール装置を提供する。【解決手段】本発明は、演奏用係合部１３ａが一の爪部２ａ１に連係してスターホイール２ａを回転させて演奏を行うオルゴール装置において、シート１３を送り出し方向に移動させる際には正回転するとともに第１方向に移動する一方、シート１３を巻き戻し方向に移動させる際には逆回転するとともに第２方向へ移動する移動ギヤ２１４と、移動ギヤ２１４が第１方向に移動した際に移動ギヤ２１４に噛み合う第１中継ギヤ２１２と、移動ギヤ２１４が第２方向に移動した際に移動ギヤ２１４に噛み合う第２中継ギヤ２１３を備え、シート１３を送り出し方向又は巻き戻し方向の何れに移動させても駆動手段２ｃによる回転方向とは逆向きにシャフト２０９を回転させることを特徴とする。【選択図】図１１
2019002979.tif 000002
【特許請求の範囲】
【請求項１】
演奏用係合部を有するとともに駆動手段によって移動するシートと、該シートに対向配置され外周面に二以上の爪部を有するとともに該駆動手段によって回転するシャフトに空転可能に保持されるスターホイールと、該スターホイールに隣接配置される振動弁とを備え、該駆動手段による該シートの移動に伴って、該演奏用係合部が一の爪部に連係して該スターホイールを回転させるとともに他の爪部が該振動弁を弾いて演奏を行うオルゴール装置において、
前記駆動手段の駆動力を、前記シート及び前記シャフトに伝える伝達状態と該シート及び該シャフトに伝わらない非伝達状態とに切り替える切り換え手段と、
前記非伝達状態において前記シートを送り出し方向又は巻き戻し方向に移動可能なシート送り手段と、
前記シート送り手段によって回転可能であって、該シート送り手段が前記シートを送り出し方向に移動させる際には正回転するとともに第１方向に移動する一方、該シート送り手段が該シートを巻き戻し方向に移動させる際には逆回転するとともに第２方向へ移動する移動ギヤと、該移動ギヤが前記第１方向に移動した際に該移動ギヤに噛み合う第１中継ギヤを含むとともに該第１中継ギヤの回転に伴って前記シャフトを回転させる第１中継ギヤ経路と、該移動ギヤが前記第２方向に移動した際に該移動ギヤに噛み合う第２中継ギヤを含むとともに該第２中継ギヤの回転に伴って該シャフトを回転させる第２中継ギヤ経路とを備え、該第１中継ギヤ経路を構成するギヤ数は該第２中継ギヤ経路を構成するギヤ数に対して奇数個相異するものであり、該シート送り手段が該シートを送り出し方向又は巻き戻し方向の何れに移動させても前記駆動手段による回転方向とは逆向きに前記シャフトを回転させる逆回し手段と、を備えるオルゴール装置。
【請求項２】
前記切り換え手段は、前記伝達状態となる下位置と前記非伝達状態となる上位置との間で移動可能な切り換えギヤと、該切り換えギヤの軸部に係合するフックを有し、該フックを該軸部から遠ざけて該切り換えギヤを前記下位置に移動させる一方、該フックを該軸部に近づけて該軸部に係合させて該切り換えギヤを前記上位置に移動させるスライド部材と、を備える請求項１に記載のオルゴール装置。
【請求項３】
前記シートは螺旋板状であって、
前記シート送り手段は、前記移動ギヤに噛み合う歯部を有するとともに該シートの末端部に連結する送り側回転盤、又は該移動ギヤに噛み合う歯部を有するとともに該シートの先端部に連結する受け側回転盤を備え、
前記切り換え手段は、前記非伝達状態において前記移動ギヤの前記第１方向又は前記第２方向への移動を許容する一方、前記伝達状態では該移動ギヤを前記第２中継ギヤに噛み合わせた状態で拘束するレバーを有する請求項１又は２に記載のオルゴール装置。
【発明の詳細な説明】
【技術分野】
【０００１】
本発明は、所定の位置に貫通孔等を設けたシートを移動させることによってこの穴に係合するスターホイールを回転させ、これにより振動弁を弾いて演奏を行うオルゴール装置に関する。
【背景技術】
【０００２】
従来、音階の異なる振動弁を所定のタイミングで弾くことにより曲を演奏するオルゴール装置としては、各振動弁に係合するピンを所定のピッチでシリンダーの外周面に設けたシリンダー式オルゴール装置が既知である。このようなシリンダー式オルゴール装置は、一般的にはシリンダーを交換することができないため、決まった曲だけが演奏される。
【０００３】
一方、シリンダーのピンで直接振動弁を弾く構成に代えて、所定の位置に貫通孔を設けたシートと、外周面に複数の爪を有するとともにシャフトに空転可能に保持されるスターホイールを備え、シートを移動させることによって、スターホイールの一の爪を貫通孔に係合させてスターホイールを回転させ、これによってスターホイールの他の爪で振動弁を弾いて演奏できるようにしたオルゴール装置も知られている。例えば特許文献１には、シートとして長尺のテープを使用して、これを送り側ロールから受け側ロールに送り出すように構成した、テープ式オルゴール装置が示されている。また特許文献２には、シートとして円板状のディスクを用いた、ディスク式オルゴールが示されている。このようなオルゴール装置によれば、テープやディスクを取り換えることによって、様々な曲を演奏することが可能である。
【０００４】
ところで、テープやディスクに設けられている貫通孔は、曲目が変わればその位置も変わることになる。このため、あるディスクでの演奏終了時に、一のスターホイールの爪が真上を向いた状態で貫通孔に係合していた場合において、別のディスクではこの位置に貫通孔が設けられていないことが想定される。そしてこのような場合、交換したディスクに真上を向いたスターホイールの爪が強く押し当たり、ディスクの回転がスムーズに行われなくなったり、ディスクを損傷させたりする不具合が生じるおそれがある。
【０００５】
このような不具合に対して特許文献３では、ディスクを回転させる駆動手段としてモータを使用し、モータを正回転させて演奏を行う一方、所定のスイッチによってディスク交換を検知した際や電源を投入した際にはモータを逆回転させて、スターホイールを空転可能に保持したシャフトも演奏状態とは逆向きに回転させるようにしている。すなわち、シャフトの逆回転に伴い、スターホイールは、爪が振動弁に当接した状態で空転してその回転方向位置が揃うため、貫通孔が何れの位置にあっても爪がディスクに押し当たらないようにすることが可能になり、上述したディスク交換時の不具合を防止することができる。
【先行技術文献】
【特許文献】
【０００６】
【特許文献１】特開平９−１０１７７５号公報
【特許文献２】特開平１１−１５４６７号公報
【特許文献３】特開平９−１５２８６４号公報
【発明の概要】
【発明が解決しようとする課題】
【０００７】
ところで特許文献３のオルゴール装置では、モータの他、各種のスイッチを使用しなければならないという制約がある。すなわち、装置が高価になるうえ、電源が確保できる場所でしか使用することができないなど、使い勝手の点でも問題がある。
【０００８】
本発明は、このような問題点を解決することを課題とするものであり、シートを交換することによって様々な曲を演奏可能であって、且つスターホイールとシートとの干渉に伴う不具合を有効に防止することができ、更にモータ等を使用せずとも不具合防止を実現することができる、新規のオルゴール装置を提供することを目的とする。
【課題を解決するための手段】
【０００９】
本発明は、演奏用係合部を有するとともに駆動手段によって移動するシートと、該シートに対向配置され外周面に二以上の爪部を有するとともに該駆動手段によって回転するシャフトに空転可能に保持されるスターホイールと、該スターホイールに隣接配置される振動弁とを備え、該駆動手段による該シートの移動に伴って、該演奏用係合部が一の爪部に連係して該スターホイールを回転させるとともに他の爪部が該振動弁を弾いて演奏を行うオルゴール装置において、
前記駆動手段の駆動力を、前記シート及び前記シャフトに伝える伝達状態と該シート及び該シャフトに伝わらない非伝達状態とに切り替える切り換え手段と、
前記非伝達状態において前記シートを送り出し方向又は巻き戻し方向に移動可能なシート送り手段と、
前記シート送り手段によって回転可能であって、該シート送り手段が前記シートを送り出し方向に移動させる際には正回転するとともに第１方向に移動する一方、該シート送り手段が該シートを巻き戻し方向に移動させる際には逆回転するとともに第２方向へ移動する移動ギヤと、該移動ギヤが前記第１方向に移動した際に該移動ギヤに噛み合う第１中継ギヤを含むとともに該第１中継ギヤの回転に伴って前記シャフトを回転させる第１中継ギヤ経路と、該移動ギヤが前記第２方向に移動した際に該移動ギヤに噛み合う第２中継ギヤを含むとともに該第２中継ギヤの回転に伴って該シャフトを回転させる第２中継ギヤ経路とを備え、該第１中継ギヤ経路を構成するギヤ数は該第２中継ギヤ経路を構成するギヤ数に対して奇数個相異するものであり、該シート送り手段が該シートを送り出し方向又は巻き戻し方向の何れに移動させても前記駆動手段による回転方向とは逆向きに前記シャフトを回転させる逆回し手段と、を備えるオルゴール装置である。
【００１０】
ここで前記切り換え手段は、前記伝達状態となる下位置と前記非伝達状態となる上位置との間で移動可能な切り換えギヤと、該切り換えギヤの軸部に係合するフックを有し、該フックを該軸部から遠ざけて該切り換えギヤを前記下位置に移動させる一方、該フックを該軸部に近づけて該軸部に係合させて該切り換えギヤを前記上位置に移動させるスライド部材と、を備えることが好ましい。
【００１１】
また、前記シートは螺旋板状であって、
前記シート送り手段は、前記移動ギヤに噛み合う歯部を有するとともに該シートの末端部に連結する送り側回転盤、又は該移動ギヤに噛み合う歯部を有するとともに該シートの先端部に連結する受け側回転盤を備え、
前記切り換え手段は、前記非伝達状態において前記移動ギヤの前記第１方向又は前記第２方向への移動を許容する一方、前記伝達状態では該移動ギヤを前記第２中継ギヤに噛み合わせた状態で拘束するレバーを有することが好ましい。
【発明の効果】
【００１２】
本発明に従うオルゴール装置では、駆動手段からシート及びスターホイールを空転可能に保持するシャフトへ伝わる駆動力を、切り換え手段によって非伝達の状態に切り替えておき、シート送り手段によってシートを移動させる際に、シャフトが逆回転するように構成している。すなわち、シャフトの逆回転に伴ってスターホイールの爪が振動弁に当接し、その状態でスターホイールがシャフトに対して空転するため、スターホイールの爪がシートに対して干渉しないところでその回転方向位置を揃えることができる。また、スターホイールの回転方向位置を揃えるにあたって駆動手段は使用しないため、モータ等を用いなくても不具合防止を実現することができる。更に、シート送り手段によって、シートを送り出し方向又は巻き戻し方向に移動させることができるため、聴きたいところから曲の演奏を行うことができる。加えて、シート送り手段によってシートを送り出し方向又は巻き戻し方向の何れに移動させても、シャフトを逆回転させることが可能であって、使用者にシートの送り方向を意識させることなくスターホイールの回転方向位置を揃えることができるため、操作性にも優れている。
【００１３】
切り換え手段として、伝達状態となる下位置と非伝達状態となる上位置との間で移動可能な切り換えギヤを設ける場合は、駆動手段としてハンドル等を手で回転させることによって演奏を行う機構を採用して、演奏を行う向きとは逆向きにハンドルを回転させることがあっても、切り換えギヤの移動によって、駆動手段の駆動力がシート等に伝わらない非伝達状態にすることができるため、装置の破損等を防止することができる。また、切り換えギヤの軸部に係合するフックを有するスライド部材を使用することにより、スライド部材の移動によって伝達状態と非伝達状態を切り替えることができるため、操作性が向上する。
【００１４】
またシートは、従来のようにテープやディスクを採用することも可能であるが、螺旋板状のシートを使用することが好ましい。このような螺旋板状のシートを使用する場合は、ディスクよりも長時間の演奏を行うことができる。また、テープ状のシートを使用する場合は演奏時間を長くすることができるものの、送り側ロールと受け側ロールにテープ状のシートを巻付けなければならないため、演奏時間が長くなると巻付いたロールの径も大きくなって、装置の厚みが増すことになる。一方、螺旋板状のシートでは、未演奏部分と演奏終了部分のそれぞれを、層をなすように重ねることが可能であるため、装置の厚みを抑えることができる。
【００１５】
更に、シート送り手段は、移動ギヤに噛み合う歯部を有するとともにシートの末端部に連結する送り側回転盤、又は該移動ギヤに噛み合う歯部を有するとともに該シートの先端部に連結する受け側回転盤を備えるものであり、切り換え手段は、伝達状態において移動ギヤが所定のギヤに噛み合う状態で拘束されるレバーを有するものである場合は、螺旋板状のシートとともに送り側回転盤や受け側回転盤を回転させることができる。すなわち、厚みの薄いシートであっても、これを安定的に回転させることができる。
【図面の簡単な説明】
【００１６】
【図１】本発明に従うオルゴール装置の一実施形態につき、各構成部品（シート等を除く）を概略的に示した分解斜視図である。
【図２】図１に示す構成部品（シートを含む）を部分的に組み立てた状態を示す斜視図である。
【図３】図１に示すオルゴール装置の側面視での断面図である。
【図４】図２に示す矢印Ａに沿う概略図である。
【図５】図３に示すＢ−Ｂに沿う断面図である。
【図６】図５の部分拡大図であって、（ａ）は図５におけるＣ部を示し、（ｂ）は図５におけるＤ部を示す。
【図７】図１に示すオルゴール装置の伝達状態における断面図であって、（ａ）は図６に示すＸ１−Ｘ１に沿う図であり、（ｂ）は図６のＸ２−Ｘ２に沿う図であり、（ｃ）は図６のＸ３−Ｘ３に沿う図である。
【図８】図１に示すオルゴール装置の伝達状態における断面図であって、（ａ）は図６に示すＸ４−Ｘ４に沿う図であり、（ｂ）は図６のＸ５−Ｘ５に沿う図であり、（ｃ）は図６のＸ６−Ｘ６に沿う図である。
【図９】図１に示すオルゴール装置の伝達状態における断面図であって、（ａ）は図６に示すＸ７−Ｘ７に沿う図であり、（ｂ）は図６のＸ８−Ｘ８に沿う図である。
【図１０】図１に示すオルゴール装置の非伝達状態における断面図であって、（ａ）は図６に示すＸ１−Ｘ１に沿う図であり、（ｂ）は図６のＸ２−Ｘ２に沿う図であり、（ｃ）は図６のＸ３−Ｘ３に沿う図である。
【図１１】図１に示すオルゴール装置の非伝達状態における断面図であって、（ａ−１）は図６に示すＸ４−Ｘ４に沿う図（送り側回転盤を送り出し方向に移動させた状態）であり、（ａ−２）は図６に示すＸ４−Ｘ４に沿う図（送り側回転盤を巻き戻し方向に移動させた状態）であり、（ｂ）は図６のＸ５−Ｘ５に沿う図であり、（ｃ）は図６のＸ６−Ｘ６に沿う図である。
【図１２】図１に示すオルゴール装置の非伝達状態における断面図であって、（ａ）は図６に示すＸ７−Ｘ７に沿う図であり、（ｂ）は図６のＸ８−Ｘ８に沿う図である。
【図１３】演奏するときの回転方向とは逆向きにシャフトを回転させることによって、スターホイールの回転方向を揃える状況を説明する図である。
【発明を実施するための形態】
【００１７】
以下、図面を参照して、本発明に従うオルゴール装置の一実施形態について説明する。なお、本明細書において「上側」とは、図１において底板（符号１２）に対してカバー板（符号１０）が位置する側であり、「下側」とはその反対側である。
【００１８】
図面中、符号１は本実施形態のオルゴール装置を示す。オルゴール装置１は、図１において概略的に示すように、オルゴール本体２と、上側仕切板３と、下側仕切板４と、送り側回転盤５と、受け側回転盤６と、同期用ギヤ７と、連結部材８と、摘まみ９と、カバー板１０と、底板１２とを備えている。またオルゴール装置１は、図１では図示を省略しているが、図２に示すようなシート１３を備えている。なお詳細については後述するが、本明細書等における駆動手段、切り換え手段、及び逆回し手段は、本実施形態では主にオルゴール本体２によって構成されていて、シート送り手段は、主に送り側回転盤５、受け側回転盤６、同期用ギヤ７、摘まみ９によって構成されている。
【００１９】
オルゴール本体２は、図１に示すように中心軸に沿って並んだ複数のスターホイール２ａと、スターホイール２ａに対して隣接して配置されるとともに各スターホイール２ａに対応する位置に並んだ複数の振動弁２ｂと、シート１３を中心軸周りに回転させるための駆動力を付与する駆動手段２ｃとを備えている。スターホイール２ａは、図４に示すように外周面に二以上の爪部２ａ１を備えている。また隣り合うスターホイール２ａの間には、図１に示すように円板状のスペーサ２ｄがスターホイール２ａと同軸上に設けられている。
【００２０】
上側仕切板３は、図１に示すように駆動手段２ｃの上方に設けられていて、その内側には、穴３ａが設けられている。また、駆動手段２ｃの下方には下側仕切板４が設けられていて、その内側には穴４ａが設けられている。
【００２１】
シート１３は、図２に示すようにオルゴール装置１の中心軸Ｏに対して旋回するようにして延在する螺旋板状に形成されている。本実施形態のシート１３は薄いプラスチック製であるが、この材質に限定されるものではない。また本実施形態のシート１３は、ドーナツ型に形成しておいたものを半径方向に切断して、それを複数つなぎ合わせて螺旋板状に形成しているが、形成方法はこれに限定されるものではない。ここでシート１３には、シート１３を回転させた際にスターホイール２ａの爪部２ａ１に係合する演奏用係合部１３ａが所定の位置に複数設けられている。本実施形態の演奏用係合部１３ａはシート１３を貫く貫通孔であるが、爪部２ａ１に向かって突出する突起であってもよい。
【００２２】
そしてシート１３は、図２に示すように、その上部部分は上側仕切板３上において層をなすように重ねて載置されていて、そこから穴３ａを通してスターホイール２ａの上方を経由し、下側仕切板４の穴４ａに至る。穴４ａを経由したシート１３の下部部分は、下側仕切板４の下方において層をなすように重ねて載置される。
【００２３】
なお図示は省略するが、シート１３の末端部（上端部）は、図１に示す、上側仕切板３の上方に位置する送り側回転盤５に連結し、シート１３の先端部（下端部）は、下側仕切板４の下方に位置する受け側回転盤６に連結している。本実施形態の送り側回転盤５及び受け側回転盤６は、図１に示すように、中心部に位置する小径のドーナツ状部と半径方向外側に位置する大径のドーナツ状部を、半径方向に延在する複数のフレームでつないだ形状になるものである。
【００２４】
また送り側回転盤５及び受け側回転盤６は、詳細な構造についての説明は省略するが、上側仕切板３及び下側仕切板４に対して相対的に回転するように構成されている。そして送り側回転盤５と受け側回転盤６との間には、これらを同期して回転させる同期機構が設けられている。本実施形態では、図１及び図３に示すように２つの同期用ギヤ７を設けている。ここで、送り側回転盤５の外縁部の下面、及び受け側回転盤６の外縁部の上面には、同期用ギヤ７と噛合う凹凸状の歯部（不図示）が設けられていて、送り側回転盤５が回転すると、同期用ギヤ７を介して受け側回転盤６も同期して回転する。なお、送り側回転盤５は、内縁部の上面にも歯部を備えている。
【００２５】
送り側回転盤５と受け側回転盤６の半径方向内側には、図１に示すように概略円筒状になる連結部材８が設けられている。連結部材８は、上側仕切板３と下側仕切板４とに連結する一方、送り側回転盤５と受け側回転盤６とを回転可能に支持している。
【００２６】
連結部材８の上方には、図１及び図３に示すように摘まみ９が設けられる。本実施形態の摘まみ９は、指で摘まむ部位となる上側摘まみ部分９ａと、中央部に孔を有する板状の下側摘まみ部分９ｂと、下側摘まみ部分９ｂの孔を挿通するとともに上側摘まみ部分９ａと下側摘まみ部分９ｂとに挟まれる摘まみシャフト部分９ｃとを備えている。なお、摘まみシャフト部分９ｃの側面には、図９（ｂ）に示すようにラックが設けられている。また摘まみ９の外縁部下面には、凹凸状の歯部が設けられている。なお、摘まみ９の歯部は、上述した送り側回転盤５の内縁部上面の歯部に対し、後述するように摘まみ９が下方に移動した際に噛み合うものである。
【００２７】
そして送り側回転盤５の上方には、図１及び図３に示すようにカバー板１０が設けられる。また受け側回転盤６の下方には、底板１２が設けられる。カバー板１０及び底板１２は、カバー板１０と底板１２の間においてこれらの外縁部を取り囲む周壁（不図示）とともにオルゴール装置１の筐体をなすものである。また底板１２の中央部には、筒状部１２ａが設けられている。ここで筒状部１２ａは、摘まみシャフト部分９ｃを上下方向にスライド可能に保持するものである。また筒状部１２ａには、摘まみシャフト部分９ｃを上方へ向けて付勢するスプリングＳ１を設けている。
【００２８】
次に、駆動手段２ｃを備えるオルゴール本体２の詳細な構成について説明する。本実施形態の駆動手段２ｃは、図５、図６（ａ）、図７（ａ）に示すように、手で回転させるハンドル２０１を備えていて、ハンドル２０１のシャフトには、図７（ａ）に示すように第１ギヤ２０２が設けられている。また第１ギヤ２０２は、切り換えギヤ２０３と噛み合っている。図６（ａ）に示すように切り換えギヤ２０３は、第１ギヤ２０２に噛み合う歯部を備えるとともに、この歯部に連結する大径円柱状部分と、大径円柱状部分の両側から外側に突出する小径円柱状部分とからなる軸部２０４を備えていて、軸部２０４の小径円柱状部分は、フレーム２０５（図６（ａ）参照）に設けた上下方向に延びる長穴２０６（図７（ａ）参照）によって、上下方向に移動可能に支持されている。また切り換えギヤ２０３の軸部２０４には、第２ギヤ２０７が一体的に設けられている。
【００２９】
第２ギヤ２０７は、図６（ａ）、図７（ｂ）に示すように、第３ギヤ２０８に噛み合っている。第３ギヤ２０８の中心には、第３ギヤ２０８とともに回転するシャフト２０９が設けられている。
【００３０】
シャフト２０９は、図１に示した複数のスターホイール２ａと、隣り合うスターホイール２ａの間に位置するスペーサ２ｄとを串差しするようにして保持するものである。なおシャフト２０９は、スターホイール２ａを空転可能に保持する（シャフト２０９を回転させるとスターホイール２ａも回転するが、スターホイール２ａに所定の負荷が加わると、シャフト２０９は回転したままスターホイール２ａは停止する）ものである。またシャフト２０９は、スペーサ２ｄは一体的に保持していて、スペーサ２ｄはシャフト２０９とともに回転する。
【００３１】
また、図６（ａ）、図８（ａ）に示すようにシャフト２０９には、シャフト２０９とともに回転する第４ギヤ２１０が設けられている。第４ギヤ２１０は、図８（ａ）に示すように第５ギヤ２１１を介して第６ギヤ２１２と噛み合っていて、更にこれらとは別に第７ギヤ２１３とも噛み合っている。すなわちシャフト２０９は、第５ギヤ２１１及び第６ギヤ２１２とつながる経路（以下「第１中継ギヤ経路」と称する）と、第７ギヤ２１３とつながる経路（以下「第２中継ギヤ経路」と称する）とつながっている。ここで、第１中継ギヤ経路を構成するギヤ数は、第２中継ギヤ経路を構成するギヤ数に対して奇数個相異するものである。本実施形態では、第１中継ギヤ経路のギヤ数は２個であり、第２中継ギヤ経路のギヤ数は１個であって、その差は１個（奇数）である。なお、ギヤ数の数はこの条件に適合する範囲において任意に選択可能であって、本実施形態に限定されるものではない。また、第６ギヤ２１２は、本明細書等では第１中継ギヤとも称し、第７ギヤ２１３は、第２中継ギヤとも称する。そして、図８（ａ）に示すように第６ギヤ２１２と第７ギヤ２１３との間には、移動ギヤ２１４が設けられている。なお移動ギヤ２１４は、図８（ａ）に示す状態では第７ギヤ２１３に近づく方向（以下「第２方向」と称する）に移動して第７ギヤ２１３と噛み合っているが、所定の条件では、図１１（ａ−１）に示すように第６ギヤ２１２に近づく方向（以下「第１方向」と称する）に移動して、第６ギヤ２１２に噛み合うことも可能である。また、上述したように送り側回転盤５の外縁部下面には歯部が設けられていて、移動ギヤ２１４は、図８（ａ）に示すようにこの歯部と常時噛み合っている。
【００３２】
更にシャフト２０９には、図６（ａ）、図８（ｂ）に示すように第８ギヤ２１５が設けられていて、第８ギヤ２１５は、シャフト２０９とともに一体的に回転する。
【００３３】
ところでオルゴール本体２は、図３、図７〜図１２に示すスライド部材２１６を備えている。スライド部材２１６は、図７〜図９に示す向きに移動した際には、ハンドル２０１を操作することによってシート１３を回転させて曲の演奏を行うことができ、また、図１０〜図１２に示す向きに移動した際には、摘まみ９を操作することによって送り側回転盤５を回して、シート１３を送り出し方向又は巻き戻し方向に回転させることができる。なお、詳細な構成については説明を省略するが、スライド部材２１６は、図７〜図９に示す向きに移動した際の移動終了位置、及び図１０〜図１２に示す向きに移動した際の移動終了位置において、不用意に移動しない程度に固定保持されている。ここでスライド部材２１６には、図７（ｃ）に示すように、揺動中心Ｃ１周りに揺動可能に設けられたレバー２１７と、揺動中心Ｃ２周りに揺動可能に設けられた連結アーム２１８がつながっている。また揺動中心Ｃ２の軸線上には、連結アーム２１８とともに揺動する揺動シャフト２１９が設けられていて、揺動シャフト２１９には、図８（ｂ）に示すアーム２２０が設けられている。なお、アーム２２０も連結アーム２１８とともに揺動する。
【００３４】
アーム２２０には、このアーム２２０に回転可能に保持される駆動シャフト２２１と、図８（ｂ）に示すように第８ギヤ２１５と噛み合うとともに駆動シャフト２２１と一体的に回転するシャフトギヤ２２２と、駆動シャフト２２１と一体的に回転するとともに、図８（ｃ）に示すようにスペーサ２ｄとの間でシート１３を挟み込んでシート１３を送り出す駆動ローラ２２３を備えている。またアーム２２０は、駆動シャフト２２１に装着されてスペーサ２ｄに向かってシート１３を寄せる押えローラ２２４（図６（ａ）参照）を備えている。
【００３５】
そして上述した移動ギヤ２１４において、図６（ａ）、図７（ｃ）に示すようにレバー２１７の脇には、移動ギヤ２１４に一体的に連結するとともに、レバー２１７が揺動した際に当接して移動ギヤ２１４を第２方向へ動かす、円板状の当接部２２５が設けられている。
【００３６】
また上述したスライド部材２１６には、図６（ａ）、図７（ａ）に示すように、爪状になるフック２２６が設けられている。フック２２６は、切り換えギヤ２０３の軸部２０４（軸部２０４の大径円柱状部分）に係合する位置において、スライド部材２１６に一体的に設けられている。
【００３７】
また揺動シャフト２１９は、図６（ｂ）に示すように揺動シャフトギヤ２２７を備えている。揺動シャフトギヤ２２７は、第１切り替えギヤ２２８と噛み合っていて、第１切り替えギヤ２２８は、切り替えシャフト２２９の一端部に一体的に設けられている。また切り替えシャフト２２９の他端には、第２切り替えギヤ２３０が設けられている。ここで第２切り替えギヤ２３０は、図９（ｂ）に示すように、摘まみシャフト部分９ｃのラックに噛合っている。
【００３８】
このような構成になるオルゴール装置１で演奏を行うには、スライド部材２１６を図７（ａ）に示す矢印の向き（左側）に移動させる。これにより、以下に説明するように、駆動手段２ｃの駆動力がシート１３及びシャフト２０９に伝わる伝達状態になる。なお、ここで、フック２２６と非係合になる切り換えギヤ２０３は、自重によって下方に移動している（図７（ａ）参照）。なお、切り換えギヤ２０３に対して一体的に連結する第２ギヤ２０７は、切り換えギヤ２０３とともに下位置に移動して、図７（ｂ）に示すように第３ギヤ２０８と噛み合う状態になっている。そしてハンドル２０１を図７（ａ）の向きに回転させると第１ギヤ２０２、切り換えギヤ２０３も回転し、それに連れて、図７（ｂ）に示すように第２ギヤ２０７が回転し、第３ギヤ２０８とともにシャフト２０９も回転する。そして図８（ａ）に示すように、シャフト２０９の回転に伴って第４ギヤ２１０も回転し、これによって第７ギヤ２１３も回転する。ところでスライド部材２１６には、図７（ｃ）に示すようにレバー２１７がつながっている。そして、スライド部材２１６が矢印の向き（左側）に移動すると、レバー２１７は図７（ｃ）に示すように揺動し、これによってレバー２１７が当接部２２５に押し当たって、移動ギヤ２１４は図７（ｃ）における右側（第２方向）に移動して拘束される。なお、この位置において移動ギヤ２１４は、図８（ａ）に示すように、第６ギヤ２１２とは噛み合わず、第７ギヤ２１３及び送り側回転盤５の歯部と噛み合った状態になっている。このため、第７ギヤ２１３が回転することによって、移動ギヤ２１４を介して送り側回転盤５も回転（平面視において図２に示す中心軸Ｏを中心に反時計回りに回転）し、これに併せて同期用ギヤ７を介して受け側回転盤６も回転するため、これらに連結するシート１３も回転する。このように本実施形態においては、送り側回転盤５と受け側回転盤６が同期して回転することから、シート１３に対して負荷を与えることがなく、これを安定的に回転させることができる。
【００３９】
シート１３が回転すると、図４に示すように、上側仕切板３上に載置されている螺旋板状のシート１３の上部部分（未演奏部分）が、穴３ａを通してスターホイール２ａの上方を通過する。これに伴い、演奏用係合部１３ａがスターホイール２ａの一の爪部２ａ１に連係してスターホイール２ａを回転させ、他の爪部２ａ１が振動弁２ｂを弾くことで音を出すことができる。シート１３は螺旋板状であって全長が長いため、長時間演奏を行うことができる。そしてスターホイール２ａを通過したシート１３の下部部分（演奏終了部分）は、穴４ａを通って下側仕切板４の下方に載置されていく。このようにシート１３は、未演奏部分と演奏終了部分を上側仕切板３の上方と下側仕切板４の下方に層をなすように重ねることができるため、オルゴール装置１の厚みを抑えることが可能になる。
【００４０】
更にこの状態においては、図８（ｂ）に示すように揺動シャフト２１９に連結するアーム２２０も反時計回りに揺動するため、シャフトギヤ２２２は第８ギヤ２１５に噛合うことになる。このため、ハンドル２０１の回転力は、シャフトギヤ２２２を介して駆動シャフト２２１に伝わり、図８（ｃ）に示すように駆動ローラ２２３も回転する。これにより、スペーサ２ｄと駆動ローラ２２３で挟まれるシート１３は、スペーサ２ｄと駆動ローラ２２３の両方によって送り出されるため、シート１３を安定して回転させることができる。更に、図３、図６（ａ）に示すように、駆動シャフト２２１には複数の押えローラ２２４が設けられていて、シート１３は、駆動ローラ２２３及び押えローラ２２４によって、半径方向の全域がスペーサ２ｄに向かって寄せられている。すなわちシート１３は、スペーサ２ｄに隣接するスターホイール２ａにも近づけられることから、図４に示すようにスターホイール２ａに設けた爪部２ａ１を、シート１３に設けた演奏用係合部１３ａに確実に噛み合わせることができるため、所期した通りの演奏を行うことができる。
【００４１】
またこの状態においては、図９（ａ）に示すように、揺動シャフト２１９に連結する揺動シャフトギヤ２２７が反時計回りに揺動し、揺動シャフトギヤ２２７に噛合う第１切り替えギヤ２２８が時計回りに回転するため、図６（ｂ）に示すように、切り替えシャフト２２９を介して第１切り替えギヤ２２８に連結する第２切り替えギヤ２３０も時計回りに回転する。ここで摘まみ９は、第２切り替えギヤ２３０に噛合うラックを有する摘まみシャフト部分９ｃを有しているため、上方の待機位置まで上昇する。
【００４２】
なお、このような演奏可能な状態でハンドル２０１を逆回転（図７（ａ）に示す向きとは逆向き）させた場合には、第１ギヤ２０２に対して切り換えギヤ２０３及び第２ギヤ２０７が上方に移動し、これによって、第２ギヤ２０７が第３ギヤ２０８から離れるため、ハンドル２０１の駆動力がシート１３等に伝わることはない。すなわち、ハンドル２０１を逆回転させてもオルゴール装置１が破損してしまうことはない。
【００４３】
ところで、本実施形態のオルゴール装置１では、スライド部材２１６を図１０（ａ）に示す矢印の向き（右側）に移動することによって、駆動手段２ｃの駆動力がシート１３及びシャフト２０９に伝わらない非伝達状態に切り換えて、シート１３を送り出し方向又は巻き戻し方向に回転させることができる。この状態においては、フック２２６が切り換えギヤ２０３に近づいて軸部２０４に係合し、切り換えギヤ２０３が上方に移動する。これにより、切り換えギヤ２０３に対して一体的に連結する第２ギヤ２０７は、切り換えギヤ２０３とともに上位置に移動して、図１０（ｂ）に示すように第３ギヤ２０８とは噛み合わない状態になる。このため、ハンドル２０１を回転させても、その駆動力はシート１３及びシャフト２０９には伝わらない。
【００４４】
またこの状態においては、図１１（ｂ）に示すように揺動シャフト２１９に連結するアーム２２０も時計回りに回転するため、シャフトギヤ２２２も第８ギヤ２１５から離れ、図１１（ｃ）に示すように駆動ローラ２２３も、スペーサ２ｄから離れることになる。すなわち、シート１３は、駆動ローラ２２３、押えローラ２２４及びスペーサ２ｄには挟まれない状態になる。更にこの状態においては、図１０（ｃ）に示すように、レバー２１７による当接部２２５の拘束が解けるため、移動ギヤ２１４は、図１１（ａ−１）に示す方向（第１方向）にも、図１１（ａ−２）に示す方向（第２方向）にも移動可能な状態になる。またこの状態においては、図１２（ａ）に示すように、揺動シャフト２１９に連結する揺動シャフトギヤ２２７が時計回りに回転し、第１切り替えギヤ２２８が反時計回りに回転するため、図１２（ｂ）に示すように、第２切り替えギヤ２３０も反時計回りに回転する。これにより、摘まみシャフト部分９ｃを介して摘まみ９が下方に移動し、摘まみ９の外縁部下面に設けた歯部（不図示）が送り側回転盤５における半径方向内側上面の歯部に噛み合うため、摘まみ９の回転に伴ってシート１３を高速で早送り、あるいは巻き戻すことができる。
【００４５】
ここで、摘まみ９を回転して、送り側回転盤５を図１１（ａ−１）に示す矢印の向き（左側）に移動させると、それに伴って移動ギヤ２１４も左側（第１方向）へ移動し、更に第６ギヤ２１２と噛み合って回転する。すなわち、図１１（ａ−１）に示すように、シート１３を送り出す方向に送り側回転盤５を移動させると、移動ギヤ２１４は第６ギヤ２１２と噛み合って反時計回りに回転し、これによって、第５ギヤ２１１を介して第４ギヤ２１０が時計回りに回転し、シャフト２０９も時計回りに回転する。従って、シャフト２０９に空転可能に保持されているスターホイール２ａも時計回りに回転し、図１３に示すように爪部２ａ１が振動弁２ｂの上面に当接した位置で停止する。これにより、全てのスターホイール２ａの回転方向位置を揃えることができるため、シート１３を早送り、あるいは巻き戻しした後、再び駆動ローラ２２３、押えローラ２２４及びスペーサ２ｄによってシート１３を挟む際にも、爪部２ａ１がシート１３に強く当たってしまう不具合を防止することができる。
【００４６】
これに対して、送り側回転盤５を図１１（ａ−２）に示す矢印の向き（右側）に移動させると、移動ギヤ２１４も右側（第２方向）へ移動し、更に第７ギヤ２１３と噛み合って回転する。すなわち、図１１（ａ−２）に示すように、シート１３を巻き戻す方向に送り側回転盤５を移動させると、移動ギヤ２１４は第７ギヤ２１３と噛み合って時計回りに回転し、これによって第４ギヤ２１０が時計回りに回転して、シャフト２０９も時計回りに回転するため、全てのスターホイール２ａの回転方向位置を揃えることができる。このように送り側回転盤５は、シート１３を送り出す方向に移動させても、巻き戻す方向に移動させてもシャフト２０９を同じ向きに回転して、スターホイール２ａの回転方向位置を揃えることができる。
【００４７】
本発明のオルゴール装置は、これまでに述べた実施形態に限定されるものではなく、種々の変更を行ったものも含まれる。例えば本実施形態の説明に用いた図では各構成部材を簡略化して示しているが、この形状に限定されるものではない。また上述した実施形態における螺旋板状のシートは、上側仕切板に載置されている部分は未演奏部分であって、それが送り出されて曲の演奏を行い、演奏が終わった部分は下側仕切板の下方に載置されていくように構成している。すなわち、本実施形態においては、移動ギヤがつながる上方に位置する回転盤が、シートを送り出す送り側回転盤であり、下方に位置する回転盤が受け側回転盤である。一方シートを、下側仕切板の下方に載置されている部分が送り出されて上側仕切板に載置されるように構成し、移動ギヤがつながる上側の回転盤でシートを受け取るようにしてもよい（上側の回転盤を受け側回転盤として機能させてもよい）。また上述した実施形態では、シート１３を回転させる駆動手段として手で回すハンドルを使用して、ハンドルを動かしている最中に演奏が行われるようにしているが、例えばゼンマイ等を採用して、ハンドルを動かしていないときにも演奏が行われるようにしてもよい。なお、電源等の制約はあるものの、駆動手段にモータを採用することを妨げるものではない。また、シートとして長尺のテープを使用できるように構成してもよく、また円板状のディスクを使用できるように構成してもよい。
【符号の説明】
【００４８】
１：オルゴール装置
２：オルゴール本体
２ａ：スターホイール
２ａ１：爪部
２ｂ：振動弁
２ｃ：駆動手段
２ｄ：スペーサ
３：上側仕切板
３ａ：穴
４：下側仕切板
４ａ：穴
５：送り側回転盤
６：受け側回転盤
７：同期用ギヤ
８：連結部材
９ａ：上側摘まみ部分
９ｂ：下側摘まみ部分
９ｃ：摘まみシャフト部分
１０：カバー板
１２：底板
１２ａ：筒状部
１３：シート
１３ａ：演奏用係合部
２０１：ハンドル
２０２：第１ギヤ
２０３：切り換えギヤ
２０４：軸部
２０５：フレーム
２０６：長穴
２０７：第２ギヤ
２０８：第３ギヤ
２０９：シャフト
２１０：第４ギヤ
２１１：第５ギヤ
２１２：第６ギヤ（第１中継ギヤ）
２１３：第７ギヤ（第２中継ギヤ）
２１４：移動ギヤ
２１５：第８ギヤ
２１６：スライド部材
２１７：レバー
２１８：連結アーム
２１９：揺動シャフト
２２０：アーム
２２１：駆動シャフト
２２２：シャフトギヤ
２２３：駆動ローラ
２２４：押えローラ
２２５：当接部
２２６：フック
２２７：揺動シャフトギヤ
２２８：第１切り替えギヤ
２２９：切り替えシャフト
２３０：第２切り替えギヤ
Ｓ１：スプリング
【図１】
2019002979.tif 000003
【図２】
2019002979.tif 000004
【図３】
2019002979.tif 000005
【図４】
2019002979.tif 000006
【図５】
2019002979.tif 000007
【図６】
2019002979.tif 000008
【図７】
2019002979.tif 000009
【図８】
2019002979.tif 000010
【図９】
2019002979.tif 000011
【図１０】
2019002979.tif 000012
【図１１】
2019002979.tif 000013
【図１２】
2019002979.tif 000014
【図１３】
2019002979.tif 000015